【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】
洗面器、流し等の水槽底部に、水槽底部下方から螺嵌される螺嵌部材で挟持される排水口金具下端に接続継手を接続し、該接続継手内に遠隔操作用のレリースワイヤを側方から貫通させて配線してそのレリースワイヤを排水栓機構の作動部に連結する排水栓装置において、前記接続継手に排水栓機構の作動部を支持すると共にその作動部にレリースワイヤを連結してなり、該接続継手を回転させずに排水口金具に接続していることを特徴とする排水栓装置。
【請求項２】
前記接続継手を回転させずに排水口金具に接続する手段が袋ナットであることを特徴とする請求項１記載の排水栓装置。
【請求項３】
前記作動部が、スラストロック機構を内蔵することを特徴とする請求項１または２記載の排水栓装置。
【手続補正２】
【補正対象書類名】明細書
【補正対象項目名】０００５
【補正方法】変更
【補正の内容】
【０００５】
【課題を解決するための手段】
上記目的を解決するために講じた技術的手段として請求項１は、洗面器、流し等の水槽底部に、水槽底部下方から螺嵌される螺嵌部材で挟持される排水口金具下端に接続継手を接続し、該接続継手内に遠隔操作用のレリースワイヤを側方から貫通させて配線してそのレリースワイヤを排水栓機構の作動部に連結する排水栓装置において、前記接続継手に排水栓機構の作動部を支持すると共にその作動部にレリースワイヤを連結してなり、該接続継手を回転させずに排水口金具に接続していることを要旨とする。
ここで、前記作動部の支持方法は、接続継手にブラケットを一体もくしは一体的に設け、そのブラケットの軸心（接続継手の管芯）に設けた係合孔に作動部を上方から抜差し可能で且つ回転不能に支承する。作動部にブラケットを一体もしくは一体的に設け、そのブラケットを接続継手の内周面に、上方から抜差し可能で且つ回転不能に支承する等、種々な方法が提案される。
また、接続継手を回転させずに排水口金具に接続する手段としては、請求項２記載のように、例えば袋ナットがその一種として提案できる。
また、作動部の内部は、請求項３記載のようにスラストロック機構を内蔵したり、栓軸の支軸を押動するインナーワイヤを進退可能に収容する構成になっている。後者の場合には、操作部側にスラストロック機構を内蔵して、プッシュでロック・アンロックを交互に繰り返して排水栓を開閉したり、プッシュで排水栓を開栓し、プルで同栓を閉栓するようにする。
【手続補正３】
【補正対象書類名】明細書
【補正対象項目名】０００６
【補正方法】変更
【補正の内容】
【０００６】
前記技術的手段によれば、排水口金具、その排水口金具に螺嵌される締付ナット（螺嵌部材）、排水口金具の下端に接続される接続継手、その接続継手を回転させずに排水口金具に接続する手段、その接続継手内に支持される排水栓機構の作動部、その作動部に一端側を連結し他端側を接続継手の取出口から外部に引出されたレリースワイヤ、その取出口をシールするガスケット等を工場で組付けて、施工現場に搬入する。
そして、施工現場では、前記手段、締付ナット（螺嵌部材）のみを排水口金具から外し、その排水口金具を水槽の排水口に槽内から差入れた後、パッキンを弾圧するように締付ナット（螺嵌部材）を螺嵌して同水槽底部に排水口金具を水密状に取付けた後、レリースワイヤが所定の引出し方向になるように接続継手を所望角度周方向回動させた状態で前記手段を排水口金具に取付け、接続継手下端に排水管を接続して、排水栓装置の組み付け作業が終了する。
【手続補正４】
【補正対象書類名】明細書
【補正対象項目名】０００８
【補正方法】変更
【補正の内容】
【０００８】
この排水栓装置Ａは、排水口金具１、その排水口金具１の下半部外周の外螺子１１にパッキン３を介して螺嵌する締付ナット（螺嵌部材）２、排水口金具１の下端に袋ナット５で接続される接続継手４、その接続継手４の上端部内に支持される排水栓機構Ａ’の作動部ａと、その作動部ａに一端側Ｗ１を連結して接続継手４の取出口１４ａから外部に引出されたレリースワイヤＷと、その取出口１４ａをシールするガスケット６及び蝶ナット７、レリースワイヤＷの他端側Ｗ２が連結される操作部（詳細には押し釦１８）８等から構成されている。
【手続補正５】
【補正対象書類名】明細書
【補正対象項目名】００１５
【補正方法】変更
【補正の内容】
【００１５】
斯様な排水栓装置Ａは、図２に示すように排水口金具１に、パッキン３、ワッシャー１３を外嵌挿して締付ナット（螺嵌部材）２を螺嵌し、作動部ａを上端部内に支承した接続継手４を、袋ナット５で排水口金具１の下端に接続し、作動部ａに一端側Ｗ１を連結したレリースワイヤＷを接続継手４の取出口１４ａをシールするガスケット６内を挿通してレリースワイヤＷを外部に引出し、蝶ナット７をガイド筒１４に螺嵌してガスケット６の鍔部１６を弾圧し、レリーフＷ２を前記押し釦１８に螺嵌して組付けた、排水口金具１内に栓軸１００をセットした状態で、施工現場に搬入される。
そして、施工現場では、袋ナット５、締付ナット（螺嵌部材）２を順次、排水口金具１から外した後、排水口金具１を水槽に差し込んでからパッキン３を弾圧するようにワッシャー１３を介して締付ナット２を螺嵌して水槽底部Ｂに排水口金具１を水密状に取付け、レリースワイヤＷが所定の引出し方向に向くように接続継手４を回動（周方向に回動）させた状態にして、上端の掛止用鍔部３４上方に嵌着されるパッキン４４が排水口金具１の下端に弾接して挟持されるように袋ナット４を排水口金具１に螺嵌し締付けて水槽底部Ｂに組付け、レリースワイヤＷの他端側Ｗ２を、洗面器、流し等の水槽の上縁面等に取付られる押し釦１８に螺合して連結すると共に、接続継手４の下端に排水管Ｐを接続して現場での施工作業の全てが終了する（図３参照）。
【手続補正６】
【補正対象書類名】明細書
【補正対象項目名】００１７
【補正方法】変更
【補正の内容】
【００１７】
【発明の効果】
本発明は以上のように構成したから、接続継手を回転させずに接続（排水口金具に接続）する手段（例えば袋ナット）、締付ナット（螺嵌部材）を排水口金具から各々外し、排水口金具に、締付ナット（螺嵌部材）を螺嵌してパッキンを弾圧するように同排水口金具を水槽底部に取付けた後、レリースワイヤの引出し方向を所定の方向（平面視で操作部の取付部となる方向）に向かせた状態にしてから、接続継手を回転させずに接続する手段（例えば袋ナット）を介して排水口金具に取付けて、組付施工する。
従って、先行技術のように、工場で連結されているレリースワイヤ一端側を施工現場で取外して再度施工現場で現場作業者が連結することによって、レリースワイヤ一端側の作動部への連結（ネジ込み）が不完全で作動不良を起したり、レリースワイヤ一端側が誤って斜め状に連結されて壊れてしまう等、製造メーカーで保障された品質を損なわず、しかも増締や締戻で排水口に対するシール性が阻害されることもない排水栓装置を提供することができる。
その上、接続継手を回転させずに排水口金具に接続する手段、締付ナット（螺嵌部材）の取付・締付以外の面倒な作業、即ち蝶ナットを外してレリースワイヤをフリーな状態にしてから接続継手を下方に引き下げて排水口金具下端と接続継手との間に作業スペースを形成する。その作業スペースを利用して排水栓機構の作動部に対するレリースワイヤの連結を解除する。レリースワイヤを同作動部に再度連結する。蝶ナットを締付ける。等の諸作業を遂行する必要がなく、現場での組付施工も非常に簡単である。
【手続補正７】
【補正対象書類名】明細書
【補正対象項目名】符号の説明
【補正方法】変更
【補正の内容】
【符号の説明】
Ａ：排水栓装置                          Ｂ：水槽底部
１：排水口金具                        Ａ’：排水栓機構
ａ：作動部                              ４：接続継手
５：接続継手を回転させずに接続する手段（袋ナット）
２：締付ナット（螺嵌部材）              ３：パッキン
Ｗ：レリースワイヤ                    Ｗ１：レリースワイヤ一端側
Ｗ２：レリースワイヤ他端側              ｂ：排水口
１００ｃ：支軸カバー                    Ｐ：排水管
Ｓ：作業スペース